(57)【要約】【課題】室内空間を快適なものとなしうる環境空間創成画像表示システムを提供する。【解決手段】窓ガラス１と、透明フィルムに印刷した写真２と、拡散フィルム３とを重ね合わせた構成である。また、ライトボックス５の出光面に、透明フィルムに印刷した写真３と、拡散板４と、必要に応じてガラス板６と、を重ね合わせて配置し、あるいはさらに、画像表示面に対向して擬似窓７を配置した構成である。【選択図】図１
2007178687.tif 000002
【特許請求の範囲】
【請求項１】
窓ガラスと、透明フィルムに印刷した写真と、拡散フィルムとを、この順序あるいはこれとは異なる順序で、重ね合わせてなる環境空間創成画像表示システム。
【請求項２】
前記拡散フィルムとして、特定の入射角度範囲内の角度で入射した光を特定の出射拡散角度範囲内にほぼ均等に拡散出射する拡散フィルムを用いた請求項１に記載の環境空間創成画像表示システム。
【請求項３】
ライトボックスの出光面に、透明フィルムに印刷した写真と、拡散板又は拡散フィルムと、あるいはさらにガラス板とを、この順序あるいはこれとは異なる順序で、重ね合わせて配置してなる環境空間創成画像表示システム。
【請求項４】
請求項３に記載の環境空間創成画像表示システムに、該システムの画像表示面と対面する擬似窓を付設してなる環境空間創成画像表示システム。
【発明の詳細な説明】
【技術分野】
【０００１】
本発明は、環境空間創成画像表示システムに関し、詳しくは、屋外光により室内をより明るくすることができ、かつ、室内から窓外を眺めたときに擬似景色が見えるようになる、環境空間創成画像表示システムに関する。
【背景技術】
【０００２】
例えば非特許文献１に、「自然の光が巧みにコントロールされた室内ほど心地よいものはない。空間の用途を考えながら窓の面積や設置位置をデザインすることで、建築家は快適な光の環境をつくり出している。古い時代の宗教建築や茶室などを見れば、窓の重要性はよくわかる。」と記載されているように、室内空間を快適なものとするには、屋外の自然光を室内に十分取り込むことが重要である。
【非特許文献１】howffの空間科学、第20回、快適な室内環境を実現する技術３．（光と音）；http://howff.jp/space/20.html
【発明の開示】
【発明が解決しようとする課題】
【０００３】
しかしながら、近年、住居空間の高密化に伴い、十分に屋外の自然光を室内に取り込むことができない地域が増えている。特に、高層ビルなどが多い地域では、一日中太陽光がビルに遮られて室内に直接入射しない場合もある。しかも、周囲を高層ビルで囲まれていては窓外の景色も単調で殺風景なものとなり、仕事の合間に窓外を眺めても全く気晴らしにならない。
【０００４】
本発明は、上記のような実情に鑑み、屋外の自然光により室内をより明るくすることができ、かつ、窓外に実際とは異なる擬似的な景色を眺めることができて、室内空間を快適なものとなしうる環境空間創成画像表示システムを提供することを目的とする。さらに、例えば地下室などのような、屋外の自然光が全く入らない室内空間でも、自然光の代わりに人工照明光を用い、あるいは自然光を光ファイバー等の導光手段により採光することで、ほぼ同様の効果が得られる、環境空間創成画像表示システムを提供することを目的とする。
【課題を解決するための手段】
【０００５】
前記目的を達成した本発明は、以下のとおりである。
第１の発明は、窓ガラスと、透明フィルムに印刷した写真と、拡散フィルムとを、この順序あるいはこれとは異なる順序で、重ね合わせてなる環境空間創成画像表示システムである。
第１の発明では、前記拡散フィルムとして、特定の入射角度範囲内の角度で入射した光を特定の出射拡散角度範囲内にほぼ均等に拡散出射する拡散フィルムを用いることが好ましい。
【０００６】
第２の発明は、ライトボックスの出光面に、透明フィルムに印刷した写真と、拡散板又は拡散フィルムと、あるいはさらにガラス板とを、この順序あるいはこれとは異なる順序で、重ね合わせて配置してなる環境空間創成画像表示システムである。
第３の発明は、第２の発明に、該第２の発明のシステムの画像表示面と対面する擬似窓を付設してなる環境空間創成画像表示システムである。
【発明の効果】
【０００７】
第１の発明によれば、窓外からの自然光が拡散フィルムを介して室内に拡散され、室内空間が全体的に明るくなる。加えて、この拡散光は透明フィルムに印刷した写真を通過したものなので、窓外を眺めたとき、実際の単調な景色の代わりに、写真の画像（好みの風景画像等）からの拡散光により創成される擬似的な環境空間を眺めることができ、室内の快適性が向上する。
【０００８】
第１の発明において、拡散フィルムとして、特定の入射角度範囲内の角度で入射した光を特定の出射拡散角度範囲内にほぼ均等に拡散出射する拡散フィルムを用いることにより、正面方向には上記の環境空間が擬似的に創成されつつ、窓に近づいて大きな斜角で屋外を覗き込む場合に、拡散の影響を受けず屋外の実際の様子を見ることができる。
第２の発明によれば、ライトボックスからの光が拡散板又は拡散フィルムを介して室内に拡散され、室内空間が全体的に明るくなる。加えて、この拡散光は透明フィルムに印刷した写真を通過したものなので、画像表示面を眺めたとき、写真の画像（好みの風景画像等）からの拡散光により創成される擬似的な環境空間を眺めることができ、室内の快適性が向上する。
【０００９】
第３の発明によれば、擬似窓を通して前記擬似的な環境空間が眺められるから、より強い臨場感が得られる。
【発明を実施するための最良の形態】
【００１０】
本発明に用いる拡散フィルム（あるいは拡散板）としては、透明フィルム（あるいは透明板）に微粒子を分散含有させたもの（例えば、「http://nippura.com/html/news/news200301.html」参照）や、フィルム（あるいは板）内の分子構造により特定の入射角度範囲内の角度で入射した光を特定の出射拡散角度範囲内にほぼ均等に拡散出射する（すなわち、ほぼトップハット的拡散特性を有する）もの（例えば「国際公開WO2004/034145号公報」参照）など挙げられる。特に、第１の発明において、後者（ほぼトップハット的拡散特性を有する拡散フィルム）を用いると、正面方向には上記の環境空間が創成されつつ、窓に近づいて大きな斜角で屋外を見上げあるいは見下ろす場合に、拡散の影響を受けず実際の屋外情景を見ることができる。
【実施例】
【００１１】
図１は、第１の発明に対応する実施例を示す概略断面図である。この例では、窓ガラス１、透明フィルムに印刷した写真２、拡散フィルム３をこの順に積層した構造の環境空間創成画像表示システムを示した。このシステムは、窓枠（図示せず）に取り付けて使用される。外光（屋外の自然光）は、拡散フィルム３により室内に拡散され、室内を全体的に明るくする。しかも、室内に拡散した光は、写真２を通過した光でもあるので、室内から窓外を見ると、写真２の画像が擬似的な環境空間として目に映る。
【００１２】
ここで、拡散フィルム２として、ほぼトップハット的拡散特性を有する拡散フィルムを用いると、正面方向には上記の環境空間が創成されつつ、窓に近づいて大きな斜角で屋外を見上げあるいは見下ろす場合に、拡散の影響を受けず実際の屋外情景を見ることができる。
なお、窓ガラス１、写真２、拡散フィルム３の積層順は、図１の例に限らず、いかなる積層順であってもよい。
【００１３】
図２は、第２ないし第３の発明に対応する実施例を示す概略断面図である。図２において、ライトボックス５の出光面に、拡散板４、ガラス板６、透明フィルムに印刷した写真２をこの順に積層してなる部分が第２の発明の例に該当し、これに擬似窓７を付設した全体が第３の発明の例に該当する。このシステムは、室内の壁（あるいは大きな柱や天井）等の面に、ライトボックス５の背面を対向させる形で、取付けて使用される。
【００１４】
ライトボックス５内の光源としては、蛍光灯や白熱灯等の人工光源を用いてもよく、また、屋外の自然光を（好ましくは集光手段にて集光後）、光ファイバー等の導光路で伝送した採光光源を用いてもよい。
ライトボックス５からの光が拡散板４を介して室内に拡散され、室内空間が全体的に明るくなる。この拡散光は写真２を通過したものなので、画像表示面（この例では最表層となっている写真２の表面）を眺めたとき、写真２の画像（好みの風景画像等）からの拡散光により創成される擬似的な環境空間を眺めることができる。
【００１５】
なお、拡散板４に代えて、拡散フィルム（拡散板よりも薄くて可撓性に富む）を用いてもよい。また、ガラス板６は、システムの補剛材として用いるもので、これ無しでも十分な剛性が保てる場合は、省略してもよい。また、拡散板４、写真２（あるいはさらにガラス板６）の積層順は、図２の例に限らず、いかなる積層順であってもよい。
第３の発明に用いる擬似窓７は、画像表示面（第２の発明のシステムの最表層の表面；この例では写真２の表面）と対面させて配置される。この対面の面間距離は、特に限定されないが、これを図示のように約20cmに設定すると、擬似窓７越しに見る前記擬似的に創成された環境空間に対する臨場感が最も強くなり、室内空間の快適性が増すので好ましい。
【図面の簡単な説明】
【００１６】
【図１】本発明の実施例を示す概略断面図である。
【図２】本発明の実施例（前出の例とは異なる）を示す概略断面図である。
【符号の説明】
【００１７】
１  窓ガラス
２  写真（透明フィルムに印刷した写真）
３  拡散フィルム
４  拡散板（又は拡散フィルム）
５  ライトボックス
６  ガラス板
７  擬似窓
【図１】
2007178687.tif 000003
【図２】
2007178687.tif 000004